(57)【要約】１つのレーザ出力パワー及びレーザ消光比を監視する１つの装置及び方法は、１つの点光源と１つの光ファイバ装置との間に物理的に配置された１つの光サブアセンブリを含む。光サブアセンブリは、点光源からの１つのコリメート光ビームを光サブアセンブリの１つの第１側の１つの内面に反射させることにより１つの収束光ビームを生成する。光サブアセンブリは、１つのくさび形空隙を光サブアセンブリの１つの第２側上に含むことにより収束光ビームの１つの入射光線を生成する。
2005537521.tif 000002
【特許請求の範囲】
【請求項１】
１つの光通信システムであって、
１つの光ファイバコア及び光ファイバクラッドを含む１つの受信用光ファイバ装置と、
１つの点光ビームを発生し、伝送する１つの点光源と、
前記受信用光ファイバ装置に隣接する１つの光サブアセンブリと
を備え、
前記光サブアセンブリが、
前記点光ビームを受信すると共に１つの収束光ビームを生成する１つの第１側の１つの内面と、
前記収束光ビームが前記受信用光ファイバ装置に移動するために貫通する１つの第２側と
を備え、
前記第２側の１つの外面が、１つのくさび形空隙を生成して前記収束光ビームの１つの入射光線を発生するように位置付けられる、
光通信システム。
【請求項２】
前記収束光ビームの前記入射光線が、前記光サブアセンブリの前記第１側の前記内面に指向されて１つの反射光ビームを生成するように成される、請求項１に記載の光通信システム。
【請求項３】
前記反射光ビームが前記光サブアセンブリの１つの第３側を通って移動する、請求項２に記載の光通信システム。
【請求項４】
前記光サブアセンブリの前記第３側が、前記光サブアセンブリの前記第３側の１つの外面に取り付けられて前記反射光ビームを１つの光検出器に指向すると共に前記点光ビームを前記光サブアセンブリの前記第１側の前記内面に指向する１つのレンズを備える、請求項３に記載の光通信システム。
【請求項５】
前記光検出器が、前記点光ビームの高速振幅変調の分解能を可能にする１つの少ないキャパシタンスを有する１つの小型開口フォトダイオードである、請求項４に記載の光通信システム。
【請求項６】
前記小型開口フォトダイオード及び前記点光源が１つの共通基板上に装着されている、請求項５に記載の光通信システム。
【請求項７】
前記点光ビームを制御するため、電流を前記点光源に供給する１つの点光源ドライバを更に備える、請求項１に記載の光通信システム。
【請求項８】
前記収束光ビームを別の光通信システムに、または、１つの光伝送媒体上に伝送できるように前記受信用光ファイバ装置を１つの伝送光ファイバ装置に接続する１つの出力ポートを更に備える、請求項７に記載の光通信システム。
【請求項９】
前記出力ポートが１つのルーティング装置内に配置される、請求項８に記載の光通信システム。
【請求項１０】
前記出力ポートが１つのネットワークスイッチ内に配置される、請求項８に記載の光通信システム。
【請求項１１】
前記光サブアセンブリがプラスチックである、請求項１に記載の光通信システム。
【請求項１２】
１つの光サブアセンブリであって、
１つの収束光ビームを生成する１つの第１側の１つの内面と、
前記収束光ビームが貫通する１つの第２側と
を備え、
前記第２側が、前記収束光ビームの１つの入射光線を生成する１つのくさび形空隙を備える、光サブアセンブリ。
【請求項１３】
前記入射光線が、前記第１側の前記内面に指向されて１つの反射光ビームを生成するように成される、請求項１２に記載の光サブアセンブリ。
【請求項１４】
前記反射光ビームが、前記光サブアセンブリの１つの第３側を通って移動するようになっている、請求項１３に記載の光サブアセンブリ。
【請求項１５】
前記光サブアセンブリの前記第３側が、光コネクタの前記第３側の１つの外面に取り付けられて前記反射光ビームを１つの光検出器に指向すると共に１つの点光ビームを前記光サブアセンブリの前記第１側の前記内面にコリメートする１つのレンズを備える、請求項１４に記載の光サブアセンブリであって、光サブアセンブリ。
【請求項１６】
前記光検出器が、点光源出力の高速振幅変調の分解能を可能にする１つの少ないキャパシタンスを有する１つの小型開口フォトダイオードである、請求項１５に記載の光サブアセンブリ。
【請求項１７】
前記点光ビームを発生する１つの点光源と、前記小型開口フォトダイオードとが１つの共通基板上に装着されている、請求項１６に記載の光サブアセンブリ。
【請求項１８】
前記光サブアセンブリが、１つの光学的に透明なプラスチックである、請求項１２に記載の光サブアセンブリ。
【請求項１９】
１つの点光源出力パワー及び消光比を監視する１つの方法であって、
１つのコリメート光ビーム波を１つの光サブアセンブリの１つの第１側の１つの内面に反射させることにより１つの収束光ビームを生成する段階と、
１つのくさび形空隙を前記光サブアセンブリの１つの第２側上に含むことにより前記収束光ビームの１つの入射光線を生成する段階と
を備える、方法。
【請求項２０】
前記収束光ビームの前記入射光線を前記光サブアセンブリの前記第１側の前記内面に指向することにより１つの反射光ビームを生成する段階を更に備える、請求項１９に記載の方法。
【請求項２１】
前記反射光ビームが前記光サブアセンブリの１つの第３側を通って移動するようにする、請求項２０に記載の方法。
【請求項２２】
前記光サブアセンブリの前記第３側の１つの外面に取り付けられた１つのレンズを介して前記反射光ビームを１つの光検出器に指向する段階と、前記レンズを介して１つの点光源からの１つの光ビームを前記光サブアセンブリの前記第１側の前記内面に指向する段階とを更に備える、請求項２１に記載の方法。
【請求項２３】
前記光検出器及び前記点光源が１つの共通基板上に装着されている、請求項２２に記載の方法。
【請求項２４】
前記光サブアセンブリを、１つの光学的に透明なプラスチックとする、請求項１９に記載の方法。
【請求項２５】
１つのパケット転送／スイッチング装置であって、
１つのプロセッサと、
複数のパケットを受信すると共に前記複数のパケットを転送する１つの物理インタフェースカードであって、
複数の入力／出力（Ｉ／Ｏ）ポートと、
１つの光サブアセンブリであって、
１つの収束光ビームを生成する１つの第１側の１つの内面と、
前記収束光ビームが貫通する１つの第２側であって、前記収束光ビームの１つの入射光線を生成する１つのくさび形空隙を備える第２側と
を備える光サブアセンブリと
を備える物理インタフェースカードと、
前記複数のパケットを受信し、前記複数のパケットに対する次のステップを決定し、前記物理インタフェースカード上の前記複数のＩ／Ｏポートのうちで選択された１つのＩ／Ｏポートに前記複数のパケットを伝送する１つのルーティングエンジンであって、前記物理インタフェースカード上の前記複数のＩ／Ｏポートで選択されたポートが前記複数のパケットを受信し、前記光サブアセンブリを用いて前記複数のパケットを送信用の複数の光信号に変換するのを支援し、前記複数のパケットを表すこれら複数の光信号を１つの第２パケット／スイッチング装置に伝送するようになっている１つのルーティングエンジンと
を備える、パケット転送／スイッチング装置。
【請求項２６】
前記パケットスイッチング装置が１つのネットワークスイッチである、請求項２５に記載の装置。
【請求項２７】
前記パケットスイッチング装置が１つのルータである、請求項２５に記載の装置。
【請求項２８】
１つの集積化光アセンブリであって、
各々が１つの対応の発光波長を持つ少なくとも２つの点光ビームを発生する少なくとも２つの点光源と、
１つの共通軸線に沿って位置合わせされ、少なくとも２つの点光ビームを受信し、少なくとも２つのコリメート点光ビームを生成する少なくとも２つの対応の集束光サブアセンブリと、
前記少なくとも２つの対応の集束光サブアセンブリから前記少なくとも２つのコリメート点光ビームを受信する１つの光学的に透明なブロックであって、少なくとも２つのコリメート光ビームが、前記光学的に透明なブロックをジグザグに移動し、前記光学的に透明なブロックを出射する１つの光学的に透明なブロックと、
１つの光サブアセンブリであって、前記少なくとも２つのコリメート光ビームを受信し、前記光サブアセンブリの１つの第２側上の１つの空隙を用いて少なくとも２つの反射光ビームを生成し、前記少なくとも２つの反射光ビームが前記光学的に透明なブロックに入射し、前記光学的に透明なブロックを移動し、前記光学的に透明なブロックを、前記少なくとも２つの点光源の１つの発光波長に対応する１つの通過帯域を持つ少なくとも２つの薄膜フィルタの一つで出射し、前記少なくとも２つの反射光ビームが１つの光検出器上に集束されるように成されている１つの光サブアセンブリと
を備える、集積化光アセンブリ。
【請求項２９】
前記光サブアセンブリが、前記少なくとも２つのコリメート光ビームを反射すると共に少なくとも２つの収束光ビームを生成する第１側の１つ内面と、
前記少なくとも２つの収束光ビームが貫通する１つの第２側と
を備え、
前記第２側が、前記少なくとも２つの収束光ビームの少なくとも２つの入射光線を生成する前記空隙を備える、請求項２８に記載の集積化光アセンブリ。
【請求項３０】
前記少なくとも２つの収束光ビームの前記少なくとも２つの入射光線が前記第１側の前記内面に向かって指向されて少なくとも２つの反射光ビームを生成するように成される、請求項２９に記載の集積化光アセンブリ。
【請求項３１】
前記少なくとも２つの反射光ビームが前記光サブアセンブリの１つの第３側を移動する、請求項３０に記載の集積化光アセンブリ。
【請求項３２】
前記光サブアセンブリの前記第３側が、前記少なくとも２つの反射光ビームを前記光学的に透明なブロックに指向するように前記光サブアセンブリの前記第３側の１つの外面に取り付けられた１つの第１非球面レンズを含む、請求項３１に記載の光サブアセンブリ。
【発明の詳細な説明】
【技術分野】
【０００１】
本願明細書において説明するシステム及び方法は、１つの点光源の平均光パワー出力及び消光比を監視することに関する。
【背景技術】
【０００２】
複数の光電気通信システムは、複数の光ファイバを介して情報を複数の高い速度で伝送するために複数の点光源、例えば、複数のレーザの使用を含む。経年的及び動作温度の複数の変化によって、複数の典型的な点光源のしきい値電流及びスロープ効率が変化する。複数の点光源の平均光パワー出力を制御するため、複数の光検出器が、１つの制御帰還ループ内に配置されてレーザの光出力を監視する。例えば、フォトダイオードにより受信された信号が減少することがあれば、レーザに供給される電流は、補償のために増大する。
【発明の開示】
【発明が解決しようとする課題】
【０００３】
複数の絶縁されたコネクタリードを持つ１つの装着基部と、１つの封止されたカバーとを有する１つの特別に設計されたパッケージ内に、点光源及びモニタ光検出器の複数の組合せ体を装着できる。１つの窓が点光源装置の放出孔と整合されているように、カバーは、ガラスの、あるいは、その他の透明な材料の１つの窓を最上部の１つの中央部分上に含む事が出来る。点光源及び光検出器の組合せ体のいくつかでは、ガラスの窓から反射された光は光検出器により受信される。これら複数のシステムにおいて光フルエンスまたはパワーが一般的に小さく、集束しないので、１つの充分な信号対雑音比（ＳＮＲ）を発生するのに充分な光を集めてレーザから一定の平均光出力を維持するために複数の大きいフォトダイオードが必要とされる。残念なことに、複数の広域の検出器は、レーザの高速変調のトラッキングに適さなくする低い電気帯域幅を有する。その代わりに、それらは、複数の時間平均パワーモニタとしての使用に限定される。
【０００４】
温度及び経年によるレーザのスロープ効率の複数の変化は、点光源出力の消光比にも影響を及ぼす。１つの点光源の消光比は、０の状態の光パワーで割り算された「１」の状態の光パワーである。複数の広域モニタ光検出器を用いる複数のシステムでは、消光比の変化は一般に無視されるか、あるいは、興味のあるシステムに用いられる複数のレーザと類似する複数のレーザを特徴付けることにより得られたデータに基づく１つのルックアップテーブルを用いて修正される。あるいはまた、モニタ光検出器の帯域幅内の１つの周波数の１つのパイロットトーンのデータ上への重ね合わせを用いて点光源の消光比の複数の変化を修正できる。受信されたパイロットトーンの振幅がデータ変調の振幅に比例するという原理に基づくこの手段は、伝送されたデータの消光比をも変調し、これにより余分な雑音を導入するという欠点を有する。
【発明を実施するための最良の形態】
【０００５】
１つの本実施形態は、１つの点光源と一緒に１つのモニタ光検出器を１つの光通信システム内に実装して点源からの光の一部が反射されると共にモニタ光検出器上に集束されるようにする１つのシステム及び方法を提供する。図１には、１つの点源と一緒に実装されたモニタ光検出器の一実施形態による１つの光通信システムを示す。光通信システム２は、１つの点光源３、１つの光検出器４、１つの点光源ドライバ５、１つの光サブアセンブリ６、１つの受信用光ファイバ装置７及び１つの出力ポート８を含む事が出来る。
【０００６】
点光源３を１つのレーザとする事が出来る。本発明の一実施形態において、点光源３を１つの垂直共振器型面発光レーザ（ＶＣＳＥＬ）とする事が出来る。点光源ドライバ５は、１つの電流信号のような１つの電気信号を点光源３に伝送して点光源３にパワーを与える事が出来る。光検出器４が点光源３の平均出力パワー及び消光比を監視できるように点光源ドライバ５及び点光源３を１つの光検出器４と一緒に１つの帰還閉ループ内に配置できる。点光源ドライバ５、点光源３及び光検出器４はすべて１つの共通基板上に属する事が出来る。別の実施形態では、点光源ドライバ５は、点光源３及び光検出器４から分離した１つの基板上に属する事が出来る。
【０００７】
光点源３と受信用光ファイバ装置７との間に光サブアセンブリ６を物理的に配置できる。本発明の一実施形態において、光サブアセンブリ６を、光学的に透明なプラスチックから構成できる。他の複数の実施形態では、光サブアセンブリを、ＬＥＸＡＮ（商標）のような１つのポリカーボネート、または、ＵＬＴＥＭ（商標）のような１つのポリエーテルイミドから製造できる。光サブアセンブリ６は、光点源３からの１つの点光ビームを受信用光ファイバ装置７に整合するのを支援できる。その上、光サブアセンブリ６は１つのくさび形の空隙を含んでいて、点光ビームの１つの反射された入射光線を発生でき、ここでは、光サブアセンブリ６は受信用光ファイバ装置７に取り付けられている。点光ビームの入射光線を１つの光検出器４に伝送して戻す事が出来る。点光ビームの入射光線を１つのレンズにより集束でき、従って、１つの比較的大きいフルエンスで光検出器４により受信でき、これにより、１つの狭域の光検出器４が、時間に関する平均光パワーの複数の変化と同様に消光比の複数の変化をも同時に追跡できる。本発明の一実施形態において、入射光線を集束するのに用いられるレンズは、点光ビームを光ファイバ装置７のコア上に集束するのに用いられるレンズと同じである。
【０００８】
光検出器４は、入射光パワーすなわち複数のワットに比例する１つの光電流を発生する光点ビームの入射光線を受信できる。光電流変調振幅及び平均値は帰還情報を点光源ドライバ５に供給でき、この点光源ドライバ５は、帰還情報に応じて点光源３への出力信号を変更する。
【０００９】
受信用光ファイバ装置７で受信された光点ビームを、受信用光ファイバ装置７に通して１つの出力ポート８に伝送できる。出力ポート８を用いて受信用光ファイバ装置７を１つの伝送光ファイバ装置（図示せず）に接続できる。本発明の一実施形態において、光通信システム２を、１つのネットワークスイッチまたは１つのルータのような１つのパケットスイッチング装置とする事が出来る。パケットスイッチング装置は１つのプロセッサ、１つの物理インタフェースカード及び１つのルーティングエンジンを含む事が出来る。物理インタフェースカードは、複数のパケットを表す複数の信号を複数の入力／出力ポートの１つで受信できる。物理インタフェースカードは、複数のパケットを１つのルーティングエンジンに転送できる。ルーティングエンジンは複数のパケットを受信し、複数のパケットに対する次のステップを決定し、複数のパケットを、物理インタフェースカード上の複数のＩ／Ｏポートのうちで選択された１つのＩ／Ｏポートに伝送でき、物理インタフェースカード上の複数のＩ／Ｏポートの選択されたポートは複数のパケットを受信する。複数のＩ／Ｏポートの選択されたポートは複数の光通信技術を用いることができ、そのため、複数の電気信号が複数の光信号に変換される必要がある可能性がある。点光源ドライバ５は、受信された複数のパケットを表現する送信用の複数の光信号を表す１つの出力信号を点光源に供給することにより複数の電気信号を複数の光信号に変換するのを支援できる。点光源３は１つの点光ビームを光サブアセンブリ６に伝送でき、光サブアセンブリ６は、入射光光線を光検出器４に供給して点光源３の平均出力パワー及び消光比を監視できる。先に述べたように、光検出器４は、入射光線からの情報を用いて平均出力パワー及び消光比データを、点光源３の出力を制御する点光源ドライバ５に送信できる。
【００１０】
図２には、本発明の一実施形態による１つの光サブアセンブリを示す。光サブアセンブリ２０は１つの第１側２２、１つの第２側２４及び１つの第３側２６を含む事が出来る。光サブアセンブリ２０を、例えば、１つの光学的に透明なプラスチックから構成できる。１つの点光源１０は、１つのコリメート光ビーム１２を光サブアセンブリ２０の第３側２６に通して伝送できる。１つの非球面レンズ１００を光サブアセンブリ２０の第３側２６の外面に取り付ける事が出来る。１つの光ファイバコア４０の開口数に整合する１つの開口数で１つの結像点を発生するようにレンズ１００の焦点距離を選択できる。コリメート光ビーム１２の主光線は非球面レンズ１００の対称の軸に入る事が出来る。
【００１１】
コリメート光ビーム１２は非球面レンズ１００及び光サブアセンブリの第３側２６を通って光サブアセンブリ２０の１つの第１側２２の１つの内面に移動でき、この内面で完全に反射され、１つの収束光ビーム１４になる。光サブアセンブリ２０の第１側２２の内面を１つの全内部反射（ＴＩＲ）面とすることができ、このことは、コリメート光ビーム１２が完全に反射されて収束光ビーム１４を発生することを意味する。収束光ビームは光サブアセンブリ２０の１つの第２側２４を通り、１つの受信用光ファイバ装置３５内に移動できる。受信用光ファイバ装置３５は１つの光ファイバコア４０及び光ファイバクラッド３０を含む事が出来る。受信用光ファイバ装置３５では、収束光ビーム１４を光ファイバコア４０内にだけ伝送できる。光ファイバクラッド３０は、光サブアセンブリ２０に関して光ファイバコア４０を囲む事が出来る。
【００１２】
１つの位置合わせフェルール５０を用いて、光ファイバ装置３５を光サブアセンブリ２０の焦点に正確に配置できる。位置合わせフェルール５０を光サブアセンブリ２０に取り付ける事が出来る。あるいはまた、位置合わせフェルール５０、光サブアセンブリ２０及び非球面レンズ１００を一部品として製造して位置合わせ誤差を最小限にできる。この実施形態では、例えば、ポリカーボネート、ポリオレフィンまたはポリエチルイミドを用いて１つの射出成形処理により光サブアセンブリ２０、位置合わせフェルール５０及び非球面レンズ１００を製造できる。
【００１３】
図３には、光通信システムの一実施形態による１つの光サブアセンブリの１つの第２側及び受信用光ファイバ装置を示す。光サブアセンブリ２０の第２側２４の１つの区間と光ファイバ装置３５の１つの区間ｙとの間に１つの空隙７０を生成するように光サブアセンブリ２０の第２側２４を光ファイバ装置３５と整合できる。例証として、この空隙を１つのくさび形空隙とする事が出来る。例えば、図３に示すように、くさび形空隙７０は、光ファイバコアの幅及び光ファイバクラッド３０の２つの区間ｘに等しい１つの長さを持つ事が出来る。
【００１４】
くさび形空隙７０の生成は、空気と、光サブアセンブリ２０を構成するプラスチックとの間の１つの屈折率の不一致に基づくフレネル反射に従って収束光ビーム１４の１つの入射光線１６を生成できる。一実施形態において、収束光ビーム１４の入射光線１６を、収束光ビーム１４に対してほぼ１８０度に反射できる。入射光線と収束光ビームとの間の角度はくさび形空隙７０の角度により決定付けられている。
【００１５】
図４には、光通信システムの一実施形態による収束光ビームの１つの入射光線の１つの経路と、１つの反射された光ビームの１つの経路とを示す。収束光ビーム１４の入射光線１６を光サブアセンブリ２０の第１側２２の内面に指向できる。光サブアセンブリ２０の第１側２２の内面を１つのＴＩＲ面とする事が出来るので、反射された光ビームの入射光線１６は光サブアセンブリ２０の第１側２２の内面で完全に反射し、図４に示すように、１つの反射された光ビーム１８になる事が出来る。
【００１６】
反射された光ビーム１８は光サブアセンブリ２０の１つの第３側２６を通って移動できる。非球面レンズ１００を光サブアセンブリ２０の第３側２６の外面に取り付ける事が出来る。レンズ１００は、反射された光ビーム１８を１つの光検出器８０上に集束できる。反射された光ビーム１８を、１つの比較的大きいフルエンスに導くようにレンズ１００は、反射された光ビーム１８を１つの焦点に至らせる事が出来る。反射された光ビーム１８の焦点を光検出器８０の受信用領域と整合して、比較的大きいフルエンスを維持できる。
反射された光ビームが、１つの比較的大きいフルエンスを維持するので、１つの狭域の光検出器８０を用いる事が出来る。この構造は、光検出器８０が、反射された光ビーム１８の高速変調を追跡するのを可能にできる。光検出器８０は、反射された光ビーム１８を受信し、反射された光ビーム１８の平均出力パワー及び消光比を決定でき、この平均出力パワー及び消光比は点光源１０からのコリメート光ビーム１２の平均出力パワー及び消光比と同等であるべきである（図２参照）。経年的または温度動作特性の変化により、点光源の出力パワーまたは消光比で生じる可能性がある複数のいかなる変化をも修正するため、光検出器８０は、この情報を点光源ドライバ５（図１参照）に供給できる。
【００１７】
図５には、１つの光通信システムの一実施形態による光ファイバ入力端を持つ１つの多チャンネル波長分割マルチプレクサを示す。多チャンネル波長分割マルチプレクサ１００は、１つの「ジグザグ」体系で複数の薄膜フィルタ（ＴＦＦ）１０２，１０４，１０６，１０８を用いてチャンネル分離を行う事が出来る。多チャンネル波長分割マルチプレクサまたは送信機１００は、１つの光サブアセンブリ１２０、１つのガラスプレート１３０、複数のＴＦＦ１０２，１０４，１０６，１０８、複数の点光源１４０（１つだけ図示する）、１つの第１非球面レンズ１５０、複数の第２非球面レンズ１４２，１４４，１４６，１４８、複数の集束光サブアセンブリ１５２，１５４，１５６，１５８及び複数の光検出器１８０（１つだけ図示する）を含む事が出来る。説明を簡素化するために、１つの点光源１４０及び１つの光検出器１８０だけの動作を図示する。点光源１４０からの複数の光ビームをコリメートし、図５に示すように１つのジグザグ光路へ再指向し、最終的に１つの光ファイバコア１８０に結合できる。一実施例では、点光源１４０を、光サブアセンブリ１２０及び複数の集束光サブアセンブリ１５２，１５４，１５６，１５８より下の１つの位置に配置できる。
【００１８】
複数の点光源１４０（残りを図示せず）及び複数のＴＦＦ１０２，１０４，１０６，１０８は、複数の重複しない通過帯域を有し、各通過帯域の中心が対応の点光源１４０の発光波長にある。
【００１９】
１つの点光源１４０を、１つの第２非球面レンズ１４８の下に配置できる。図５には、明瞭のため、１つだけの光ビーム（実線）、１つの点光源１４０、１つの反射された光ビーム（複数の破線）及び１つの光検出器１８０を示す。点光源１４０から放出された光ビームは、対応の第２非球面レンズ１４８を通過する事が出来る。第２非球面レンズ１４８に対応する１つの集束光サブアセンブリ１５８はコリメート光ビームをガラスプレート１３０に再指向する。複数のＴＦＦ１０２，１０４，１０６，１０６を、図５に示すようにガラスプレート１３０の１つの底面に取り付ける事が出来る。点光源１４０の発光波長はＴＦＦ１０８の通過帯域に対応するため、光ビームは、対応のＴＦＦ１０８を通過する事が出来る。同様に、複数の点光源の残りの光ビームは、残りの対応の複数のＴＦＦ１０２，１０４，１０６，１０８をそれぞれ通過する事が出来る。複数のＴＦＦ１０２，１０４，１０６，１０８が、複数の重複しない通過帯域を有するので、複数の異なる波長成分は、複数の点光源からの複数のコリメート光ビームから抽出される。ガラスプレート１３０の内部では、点光源１４０からのコリメート光ビーム（実線）は、ＨＲ被覆面１３２及び残りの複数のＴＦＦ１０２，１０４，１０６により反射しながら、１つの「ジグザグ」光路に移動できる。点光源１４０の発光波長が、残りの複数のＴＦＦ１０２，１０４，１０６の通過帯域に対応しないので、残りの複数のＴＦＦ１０２，１０４，１０６は、点光源１４０からのコリメート光ビームを通過させない事が出来る。ガラスプレート１３０から離れた後、コリメート光ビームは第１非球面レンズ１５０を通って１つの光サブアセンブリ１２０に結合できる。
【００２０】
コリメート光ビームを非球面レンズ１５０に通し、光サブアセンブリ１２０の１つの第３側２００に通して、光サブアセンブリ１２０の１つの第１側２０４の１つの内面に指向できる。第１側２０４の内面を１つのＴＩＲ面とする事が出来る。コリメート光ビームは第１側２０４に反射し、１つの収束光ビームになることができ、この収束光ビームは光サブアセンブリ１２０の第１側２０４から離れ、光サブアセンブリ１２０の１つの第２側２０２を通って光ファイバコア１９０内に指向される。光サブアセンブリの第２側２０２が光ファイバ装置１９０に接触する箇所では、１つの空隙が存在できるように光サブアセンブリ１２０を構成できる（図示せず）。一実施形態において、１つのくさび形空隙が、空気と、光サブアセンブリ１２０を構成するプラスチックとの間の１つの屈折率の不一致に基づくフレネル反射に従って収束光ビームの１つの入射光線（破線）を発生する。収束光ビームの入射光線は第１側２０４の内面に向かって反射して戻る。第１側２０４の内面は収束光ビームの入射光線を反射する。反射された光ビームは、光サブアセンブリ１２０の第３側２００及び第１非球面レンズ１５０を通ってガラスプレート１３０に移動できる。反射された光ビームは、ＨＲ被覆面１３２及び（反射された光ビームを最初に発生させた点光源１４０の発光波長に等しくない通過帯域を有する）複数のＴＦＦ１０２，１０４，１０６に交互に反射する１つの「ジグザグ」パターンで移動できる。反射された光ビームが、対応のＴＦＦ、この場合、ＴＦＦ１０８を通過する事が出来る波長を持てば、反射された光ビーム（破線）は関連のＴＦＦ１０８、関連の集束光サブアセンブリ１５８及び関連の第２非球面レンズ１４８を通って移動する。関連の非球面レンズ１４８は、反射された光ビームを光検出器１８０の視聴部分上に集束させ、この視聴部分は、点光源１４０の出力パワー及び消光比を監視する。
【００２１】
図６には、本発明の一実施形態による１つの完全なトランシーバモジュールを示す。完全なトランシーバモジュールは、１つのデュアル光ファイバコネクタ６１０と、１つの射出成形された光アセンブリ６５０と、１つのプリント回路基板（ＰＣＢ）６３０と、電磁干渉を最小限にする１つの金属シールド（図示せず）とを含む。複数の光ファイバ１０Ａ，１０ｂはデュアルファイバコネクタ６１０に接続されている。デュアルコネクタ６１０において一方の光ファイバは受信機用であり、他方の光ファイバは送信機用である。記述したように、光アセンブリ６５０は、１つのコネクタハウジング６００を有する１つの一個構成の射出成形された光サブアセンブリであるのが好ましい。デュアルファイバコネクタ６１０はコネクタハウジング６００内に滑るように動く。ＰＣＢ６３０は、光アセンブリ６５０内で、一個構成の射出成形された光サブアセンブリと整合されている。ＰＣＢ６３０上には、複数のレーザ源と、複数の光検出器と、複数の電気信号を処理する複数のチップと、その他の回路などが存在する。位置合わせを支援するため、１つの出っ張り構造体が、光アセンブリ６５０において複数のコリメーティング及び光サブアセンブリの複数の非球面レンズの頂点に対して接線方向にあり、かつ、この頂点を通過する面に平行な１つの面内に設けられている。出っ張り構造体により、ＰＣＢ７３０を挿入し、数ミクロンの許容範囲内で複数の非球面レンズに平行させる事が出来る。
【００２２】
上記の説明は、本発明の複数の特定の実施形態に言及したが、本発明の精神から逸脱することなく複数の変形形態を構成できるものとする。付随の複数の請求項は、本発明の複数の実施形態の精神及び実際の範囲内に含まれるこのような複数の変形形態をカバーするものとする。従って、ただ今、開示した複数の実施形態は、すべての点で、限定されずに例示とみなすべきであり、本発明の範囲は、上記での説明よりもむしろ付随の複数の請求項により示され、そのため、複数の請求項の意義及び等価の範囲に入るすべての変更は、本発明の範囲に含まれるものとする。
【図面の簡単な説明】
【００２３】
【図１】本発明の一実施形態における１つの光通信システムを示す。
【図２】本発明の一実施形態における１つの光サブアセンブリを示す。
【図３】本発明の一実施形態における１つの受信用光ファイバ装置への１つの光サブアセンブリの１つの側の１つの接続部を示す。
【図４】本発明の一実施形態における１つの反射された光波の１つの入射光線の１つの経路と、１つの反射された入射波の１つの経路とを示す。
【図５】１つの光通信システムの複数の実施形態による光ファイバ入力端を持つ１つの多チャンネル波長分割マルチプレクサを示す。
【図６】本発明の一実施形態における１つの完全なトランシーバモジュールを示す。
【図１】
2005537521.tif 000003
【図２】
2005537521.tif 000004
【図３】
2005537521.tif 000005
【図４】
2005537521.tif 000006
【図５】
2005537521.tif 000007
【図６】
2005537521.tif 000008
【国際調査報告】
2005537521.tif 000009
2005537521.tif 000010
2005537521.tif 000011